(57)【要約】【課題】飛距離性に富むばかりでなく、沈下速度が速いほか、流れに対する強さやキビキビしたアクション性にも優れたミノーのように泳ぎ、スプーンのように扱うことができるルアーの提供。【解決手段】ルアー本体１２と、該ルアー本体１２の前端部１２ａ側に配設されたラインアイ１３およびリップ１４と、ルアー本体１２の後端部１２ｂ側に配設されたフックハンガー１６とで少なくとも構成されるルアー１１において、ルアー本体１２は、前端部１２ａと後端部１２ｂとの間に位置する下腹部位に凹陥部２３を備え、該凹陥部２３の前端２３ａ側と後端２３ｂ側との間に掛け渡された支杆材２６にシンカー２４を進退自在に遊挿配置した。【選択図】図１
2007209275.tif 000002
【特許請求の範囲】
【請求項１】
ルアー本体と、該ルアー本体の前端部側に配設されたラインアイおよびリップと、前記ルアー本体の後端部側に配設されたフックハンガーとで少なくとも構成されるルアーにおいて、
前記ルアー本体は、前記前端部と前記後端部との間に位置する下腹部位に凹陥部を備え、
該凹陥部の前端側と後端側との間に掛け渡された支杆材にシンカーを進退自在に遊挿配置したことを特徴とするルアー。
【請求項２】
前記リップは、前記ルアー本体の長さ方向に対し略４５度の前傾角度を付与して垂設した請求項１に記載のルアー。
【請求項３】
前記シンカーの前後には、該シンカーの動きに追随する従動材を各別に介在配置させた請求項１または２に記載のルアー。
【請求項４】
前記シンカーは、前端側が大径部で後端側が小径部となった略弾丸形状を呈する請求項１ないし３のいずれかに記載のルアー。
【請求項５】
前記ルアー本体には、ミノータイプの形状を付与した請求項１ないし４のいずれかに記載のルアー。
【発明の詳細な説明】
【技術分野】
【０００１】
本発明は、ルアーフィッシングに用いられるルアーに関する技術である。
【背景技術】
【０００２】
ルアーフィッシングに用いられるルアーには、大別するとハードルアーとソフトルアーとがあり、ハードルアー中のプラグに属するものとして「トップウオーター」、「ミノー」、「クランクベイト」および「バイブレーション」がある。
【０００３】
このうち、小魚に似せたミノーは、渓流や湖のほか、海での大物釣りにも使用することができる万能タイプのルアーとして従来よりルアーフィッシングに使用されてきている。
【０００４】
また、ルアーのなかには、飛距離が出るようにルアー本体にトンネル状に形成した内部空間内に重りを転動自在に封入し、キャスティング時に先頭側となる後部（尾部）側に遠心力により重りが移動して飛距離が出るようにした重心移動システムを採用したものもある。
【０００５】
しかし、上記重心移動システムを採用したルアーについては、釣り場の状況に応じてその飛距離を変えたり、リトリーブ時におけるルアーの動きや姿勢を変えたりしたい場合があっても即応させることができず、状況に適応する他のルアーを適宜選択し、これを付け替えて使用する必要があった。このため、釣り場には、複数種類のルアーを携行しなければならないという煩雑さがあった。
【０００６】
このような煩雑さを解消することを目的とするルアーとしては、１つのルアーでキャスティング時におけるルアーの飛距離や、リトリーブ時におけるルアーの動きや姿勢を変えることができる例えば下記特許文献１に開示されているものがある。
【特許文献１】特開２００３−２３９２３号公報
【発明の開示】
【発明が解決しようとする課題】
【０００７】
しかし、上記特許文献１に開示されているルアーは、ボルト状の軸部材にナット状の重りを螺合配置するものであることから、キャスティング時に重りの位置を自動的に移動（先頭側となる後部側への重りの自動移動）させることができず、必ずしも所望する飛距離を得ることができないという不都合があった。
【０００８】
本発明は、従来からあるルアーにみられた上記課題に鑑み、飛距離性に富むばかりでなく、沈下速度が速いほか、流れに対する強さやキビキビしたアクション性にも優れた、ミノーのように泳ぎ、スプーンのように扱うことができるルアーを提供することを目的とする。
【課題を解決するための手段】
【０００９】
本発明は、上記目的を達成すべくなされたものであり、ルアー本体と、該ルアー本体の前端部側に配設されたラインアイおよびリップと、前記ルアー本体の後端部側に配設されたフックハンガーとで少なくとも構成されるルアーにおいて、前記ルアー本体は、前記前端部と前記後端部との間に位置する下腹部位に凹陥部を備え、該凹陥部の前端側と後端側との間に掛け渡された支杆材にシンカーを進退自在に遊挿配置したことを最も主要な特徴とする。
【００１０】
この場合、前記リップは、前記ルアー本体の長さ方向に対し略４５度の前傾角度を付与して垂設するのが好ましい。また、前記シンカーの前後には、該シンカーの動きに追随する従動材を各別に介在配置させておくのが望ましい。さらに、前記シンカーは、前端側が大径部で後端側が小径部となった略弾丸形状を呈するものとするのが好ましい。さらにまた、前記ルアー本体には、ミノータイプの形状を付与して形成するのが望ましい。
【発明の効果】
【００１１】
請求項１に係る発明によれば、ルアー本体の前端部と後端部との間に位置する下腹部位に形成された凹陥部の前端側と後端側との間に掛け渡された支杆材にシンカーを進退自在に遊挿配置したので、優れた飛距離性のほか、高速での水没性をも得ることができる。
【００１２】
請求項２に係る発明によれば、ルアー本体の長さ方向に対し略４５度の前傾角度を付与してリップを垂設してあるので、自然な動きのもとでルアーを泳がせることができる。
【００１３】
請求項３に係る発明によれば、シンカーの前後に従動材を介在配置させたので、支杆材に沿ってのシンカーの移動をより円滑に行わせることができる。
【００１４】
請求項４に係る発明によれば、シンカーが略弾丸形状を呈しているので、空気抵抗を少なくして目標とするポイントにルアーを正確に投入することができる。
【００１５】
請求項５に係る発明によれば、ルアー本体がミノータイプの形状を呈しているので、小魚に似せた姿態のもとで対象魚の掛かりをより好ましいものとすることができる。
【発明を実施するための最良の形態】
【００１６】
図１は、本発明の一例を示す側面図であり、ルアー１１の全体は、ルアー本体１２と、該ルアー本体１２の前端部１２ａ側に配設されてラインＬが結び付けられる金属製のラインアイ１３および水中での遊泳姿勢を安定的に制御する合成樹脂製のリップ１４と、ルアー本体１２の後端部１２ｂ側に配設されてフックＦが連結される金属製のフックハンガー１６とで少なくとも構成されている。
【００１７】
この場合、ルアー本体１２は、ヒノキ材やバルサ材などの浮力のある適宜の木質材を用いて例えばミノーとしての形状が付与された全長が５０ｍｍ前後の適宜サイズのもとで形成されている。
【００１８】
また、ルアー本体１２は、その表面に金属色を含む適宜の色合いの光沢を付与したり、魚眼を模したアイ１５を描き込むなどすることにより、適宜の小魚の姿態を模した仕上げ加工が施されている。
【００１９】
しかも、ルアー本体１２は、前端部１２ａと後端部１２ｂとの間に位置する下腹部位を適宜の長さと深さ（高さ）とに切欠するなどして形成された凹陥部２３を備えている。
【００２０】
そして、該凹陥部２３の前端２３ａ側と後端２３ｂ側との間には、その前後にビーズなどからなる従動材２６を介在させたシンカー２４を進退自在に遊挿配置した、例えば線径が０．８ｍｍ程度のステンレス線材などからなる支杆材２５が掛け渡され、ルアー本体１２側に強固に固定されている。
【００２１】
この場合、タングステン材などの金属材からなる例えば重量が５ｇ程度のシンカー２４は、先端側が大径部２４ａで後端側が小径部２４ｂとなった略弾丸形状を呈するとともに、支杆材２５に遊挿されて凹陥部２３内での前後方向への遊動が自在なサイズが付与されて形成されている。
【００２２】
また、リップ１４は、ルアー本体１２の長さ方向に対し略４５度の前傾角度が付与された状態のもとで、前端部１２ａの下側から前方向へと突出させるように垂設されている。この場合におけるリップ１４の面サイズは、河川の流れの強さ等に応じて適宜選択することができる。
【００２３】
次に、本発明の作用・効果を図示例に基づいて説明すれば、ルアーフィッシングのためにルアー１１を使用する際には、ロッドに装着されたリールから引き出されたラインＬをラインアイ１３に結び付ける。また、フックハンガー１６には、対象魚との関係で定まる適宜のフックＦを連結する。
【００２４】
かくして、準備が整った後は、ロッドを振ってリールからラインＬを送り出し、所定のポイント方向へとルアー１１をキャスティングする。このとき、シンカー２４は、遠心力の作用により従動材２５の動きとともに支杆部２６に沿ってルアー本体１２における凹陥部２３の後端２３ｂ側へと円滑に移動させることで、そのキャスティング時に先頭側にシンカー２４を位置（図２に示す矢印方向に反転）させて飛ばすことにより、飛距離をかせぐことができる。
【００２５】
ポイントに着水したルアー１は、シンカー２４の重量とも相俟って水没方向に対して水の抵抗を受けることの少ない姿勢、つまり、リップ１４側がやや下向きになる図３に示す前傾姿勢のもとで水没させることができるので、強い流れの中でも高速で水没させることができる。
【００２６】
しかも、ルアー１１は、ルアー本体１２がシンカー２４に支えられているので、激流やガンガン瀬であっても水流に逆らわずに躍動させながら水圧を後方に逃がしつつ、図３に示すように水から飛び出させることなく水中を泳がせることができる。
【００２７】
また、ルアー１１は、リップ１４を略４５度に前傾させていることから、小刻みにロッドをアクションさせるトゥイッチングや軽く横方向に動かしてアクションさせるジャーキングの際にも俊敏に反応し、キビキビと動かすことができる。
【００２８】
さらに、ルアー１１は、シンカー２４を備えているので、スプーンのような上げたり下げたりする操作もできることから、水深の変化が大きい渓流域でも使用できるというような使い分けができる利便性を得ることができる。
【００２９】
また、ルアー１１がフックハンガー１６にのみフックＦを装着する場合には、例えばフックサイズを大きくしても泳ぎに影響を及ぼすことが少ないので、本流筋や湖沼においてビッグサイズの魚を対象魚とすることもできる。
【００３０】
以上は、本発明を図示例に基づいて説明したものであり、その具体的な内容は、本発明の要旨を逸脱しない限り、種々の変形を加えることができる。例えば、ルアー本体１２のサイズをより大きなもとすることもでき、さらには、所望によりリップ１４の前傾傾斜角度を４５度以上としたり、４５度以下とすることもできる。また、シンカー２４は、従動材２５を介在させることなく支杆材２６に挿通配置することもできる。さらに、ルアー本体１２の形状についても、ミノー形状以外の適宜の形状を付与して形成することもできる。
【図面の簡単な説明】
【００３１】
【図１】本発明の一例を示す側面図。
【図２】図１に示す例についての浮上方向での姿勢を示す説明図。
【図３】図１に示す例についての潜行方向での姿勢を示す説明図。
【符号の説明】
【００３２】
１１  ルアー
１２  ルアー本体
１２ａ  前端部
１２ｂ  後端部
１３  ラインアイ
１４  リップ
１５  アイ
１６  フックハンガー
２３  凹陥部
２３ａ  前端
２３ｂ  後端
２４  シンカー
２４ａ  大径部
２４ｂ  小径部
２５  従動材
２６  支杆材
Ｆ  フック
Ｌ  ライン
【図１】
2007209275.tif 000003
【図２】
2007209275.tif 000004
【図３】
2007209275.tif 000005